(57)【要約】【課題】信号表示灯のユニット同士を簡便に連結し、電気的な接続を確実に得る。【解決手段】本信号表示灯１用のユニット３ｂは、筒状のケース１１と、対応するユニット３ａ，３ｃのケース１１に相対回転により連結するための係合突起２０および係合凹部２１と、対応するユニット間を電気的に接続するための電気的接続部材１４ａとを有する。電気的接続部材１４ａの両端部の第１および第２の端子部３１ａ，３２ａは、対応するユニットの対応する端子部に対して弾力的に線接触または面接触可能な接触部４２ａ，４２ｂを含む。ケース１１の第１の端部１８に内向きの環状フランジ９０が設けられる。電気的接続部材１４ａは、導電性の板部材からなる。この板部材は、ケース１１の軸方向に延びる主体部９４と、環状フランジ９０の表面に沿い第１の端子部３１ａを構成する延設部と、山形をなし第２の端子部３２ａを構成する弾性舌片とを含む。【選択図】図１２
2008181896.tif 000002
【特許請求の範囲】
【請求項１】
互いに積層可能な信号表示灯用のユニットにおいて、
第１および第２の端部を有する筒状のケースと、
このケースの第１および第２の端部にそれぞれ設けられ、対応するユニットのケースの対応する端部に相対回転により連結するための一対の連結手段と、
ケースの第１および第２の端部間に延び対応するユニット間を電気的に接続するための電気的接続部材とを備え、
この電気的接続部材の第１および第２の端部に、対応するユニットの対応する端子部に接続するための第１および第２の端子部がそれぞれ設けられ、
第１および第２の端子部の少なくとも一方は、対応するユニットの対応する端子部に対して弾力的に線接触または面接触可能な接触部を含み、
上記ケースの第１の端部に内向きの環状フランジが設けられ、
上記電気的接続部材は、導電性の板部材からなり、この板部材は、ケースの軸方向に延びケースにより保持される主体部と、主体部の一端から概ね直交状に延設されて環状フランジの表面に沿う延設部と、主体部の他端に延設され山形をなす弾性舌片とを含み、上記延設部が第１の端子部を構成し、上記弾性舌片が第２の端子部を構成し、対応するユニットの対応する第１の端子部をケースの軸方向に弾性付勢可能であることを特徴とする信号表示灯用ユニット。
【請求項２】
少なくとも一部が、請求項１に記載の信号表示灯用のユニットを積層して構成されることを特徴とする信号表示灯。
【発明の詳細な説明】
【技術分野】
【０００１】
本発明は、自動機械、生産ライン、駐車場、危険な場所などに設置され、材料の不足、ワークの詰まり、満車、危険等の各種の状態を信号報知するための信号表示灯用のユニットおよび信号表示灯に関する。
【背景技術】
【０００２】
従来の信号表示灯には、例えば、複数のユニットを重ね合わせて構成するものがある。上述のユニットには、筒形状のケースと、このケースの軸方向に延びる板状の端子とを有し、互いに対応するユニットを積層し、対応する端子同士を接触させて電気的に接続させ、長尺の固定ねじを各ユニットに貫通させ、貫通させた固定ねじを用いて、ユニット同士を固定するものがある（例えば、特許文献１，２参照。）。
【０００３】
また、従来の信号表示灯のユニットには、筒形状のケースと、このケースの軸方向に延びて一端が屈曲する線状の端子とを有し、複数のケースを重ね合わせた状態で互いに相対回動させることにより、ケース同士を結合しながら、線状の端子同士を交差状に接触させるものもある（例えば、特許文献３参照）。
【特許文献１】特開平７−２８２６０５号公報
【特許文献２】特開２０００−８２８４６号公報
【特許文献３】米国特許第５９５２９１５号明細書
【発明の開示】
【発明が解決しようとする課題】
【０００４】
特許文献１，２に記載された信号表示灯では、例えば、組立時に固定ねじを各ユニットに通すために、各ユニットを連結状態で手で保持しておく必要があり、作業し難く、手間がかかる。
また、特許文献３に記載された信号表示灯では、互いに連結される一対のユニットの対応する一対の線状の端子は、互いに点接触するので、ユニット間の電気的な接続が不確実になる虞がある。
【０００５】
そこで、本発明の目的は、上述の技術的課題を解決し、ユニット同士の組み付けに手間がかからずに済み、電気的に確実に接続できる信号表示灯用のユニットおよび信号表示灯を提供することである。
【課題を解決するための手段】
【０００６】
請求項１に記載の発明の信号表示灯用のユニットは、互いに積層可能な信号表示灯用のユニットにおいて、第１および第２の端部を有する筒状のケースと、このケースの第１および第２の端部にそれぞれ設けられ、対応するユニットのケースの対応する端部に相対回転により連結するための一対の連結手段と、ケースの第１および第２の端部間に延び対応するユニット間を電気的に接続するための電気的接続部材とを備え、この電気的接続部材の第１および第２の端部に、対応するユニットの対応する端子部に接続するための第１および第２の端子部がそれぞれ設けられ、第１および第２の端子部の少なくとも一方は、対応するユニットの対応する端子部に対して弾力的に線接触または面接触可能な接触部を含み、上記ケースの第１の端部に内向きの環状フランジが設けられ、上記電気的接続部材は、導電性の板部材からなり、この板部材は、ケースの軸方向に延びケースにより保持される主体部と、主体部の一端から概ね直交状に延設されて環状フランジの表面に沿う延設部と、主体部の他端に延設され山形をなす弾性舌片とを含み、上記延設部が第１の端子部を構成し、上記弾性舌片が第２の端子部を構成し、対応するユニットの対応する第１の端子部をケースの軸方向に弾性付勢可能であることを特徴とする。
【０００７】
この発明によれば、信号表示灯の組立時に、本ユニットのケースと対応するユニットのケースとを積層し相対回転させることにより、ユニット同士を簡便に連結できる。また、本ユニットおよび対応するユニットの互いに対応する第１および第２の端子部は、線接触または面接触により電気的に確実に接続することができる。
【０００８】
また、本ユニットおよび対応するユニットのケース同士が積層されると、環状フランジ上に受けられた第１の端子部に、弾性舌片により構成される第２の端子部が付勢され、両端子部を電気的に確実に接続できる。
【０００９】
請求項２に記載の発明の信号表示灯は、少なくとも一部が、請求項１に記載の信号表示灯用のユニットを積層して構成されることを特徴とする。この発明によれば、請求項１の作用効果を得ることができる信号表示灯を実現できる。
【発明を実施するための最良の形態】
【００１０】
以下、本発明の一実施形態および参考例の信号表示灯と、これのためのユニットを図面を参照しつつ説明する。図１の組み立て説明図を参照する。まず、実施形態のもとになる参考例を説明する。
信号表示灯１は、当該信号表示灯１の頂部に配置されるカバー２および複数、例えば、６つのユニット３ａ，３ｂ，３ｃ，５，６，７をユニット積層方向Ｓに沿って互いに連結して積層し、互いに係止してなる。各ユニット３ａ，３ｂ，３ｃ，５，６，７は略円柱形状をなし、互いの軸線が一致して連結される。
【００１１】
具体的には、ユニット３ａ，３ｂ，３ｃは、それぞれ発光して信号を表示する表示ユニットであり、同様に構成される。ユニット５は、音声信号を発するブザーユニットである。ユニット６は、本信号表示灯１が装着される装置本体９（一部のみ図示）からの信号に応じた信号を外部装置（図示せず）で利用可能に出力するための外部出力ユニットである。ユニット７は、信号表示灯１の基端部寄りに配置される基部ユニットである。ユニット７の端部には、本信号表示灯１を装置本体９に取り付けるための取付部材８が設けられている。
【００１２】
以下では、ユニット３ｂを中心に説明し、また、このユニット３ｂを、対応するユニット３ａ，３ｃにそれぞれ連結する場合に則して説明する。
図２と図３とを参照して、ユニット３ｂは、筒状のケース１１を有する。また、ユニット３ｂは、光を発することができる複数、例えば、８つのＬＥＤからなる光源１２と、ケース１１により保持されて光源１２等を支持する回路基板１３と、対応するユニット３ａ，３ｃ間を電気的に接続するための複数の電気的接続部材１４（図２、図３には２つを図示）とを有する。これらの光源１２、回路基板１３、および電気的接続部材１４は、ケース１１内に概ね収容される。
【００１３】
第１参考例では、電気的接続部材１４が、互いに接続可能な第１の部材としての板部材１５および第２の部材としてのワイヤ１６を含む。板部材１５とワイヤ１６とは、複数組、例えば、６組が設けられている。板部材１５は、導電体としての金属部材により形成され、回路基板１３に組み付けられている。ワイヤ１６は導電体としての金属部材からなり、ケース１１に保持されている。
ケース１１は、透光可能なグローブからなり、信号の表示面として機能する。グローブには、透過する光を拡散させる拡散手段としてのレンズ部（図示せず）が設けられてもよい。
【００１４】
図２を参照して、ケース１１の軸方向Ｕに関して、ケース１１の第１の端部１８は、その外周に設けられる第１の嵌合部１８ａと、環状段部からなる連結面１８ｂとを有する。ケース１１の第２の端部１９は、その内周に設けられる第２の嵌合部１９ａと、環状段部からなる連結面１９ｂとを有する。本ユニット３ｂの第１の嵌合部１８ａは、対応するユニット３ａの対応する第２の嵌合部１９ａと嵌合する。本表示ユニット３ｂの第２の嵌合部１９ａは、対応するユニット３ｃの対応する第１の嵌合部１８ａと嵌合する。対応する２つのユニット３ｂ，３ｃの対応する連結面１９ｂ，１８ｂ同士を互いに当接させて、ケース１１同士を軸方向Ｕに位置決めして、その相対回動を案内できる。
【００１５】
ケース１１の第１および第２の端部１８，１９には、対応するユニット３ａ，３ｃのケース１１の対応する端部１９，１８に相対回転により連結するための一対の連結手段としての係合突起２０および係合凹部２１が、それぞれ設けられている。
本ユニット３ｂの係合突起２０は、第１の嵌合部１８ａに設けられ、対応するユニット３ａの係合凹部２１と係合する。また、本ユニット３ｂの係合凹部２１は、第２の嵌合部１９ａに設けられ、対応するユニット３ｃの係合突起２０と係合する。
【００１６】
係合凹部２１は、一端に開放する入口２１ａを有して軸方向Ｕに沿って延びる案内部としての案内溝２１ｂと、この案内溝２１ｂの他端から周方向Ｔに沿って延び相手方の係合突起２０を係止する係止部としての係止溝２１ｃとを含む。入口２１ａを通して導入された相手方の係合突起２０が案内溝２１ｂによって軸方向Ｕに案内された後、係止溝２１ｃによって周方向に案内されながら係止溝２１ｃの周縁部と係合し、両ユニット３ｂ，３ｃのケース１１同士が互いに係止され、その軸方向Ｕへの抜けを防止されるようにしてある。
【００１７】
図２および図３を参照して、ケース１１の第１の端部１８の内周には、回路基板１３を受けるための環状フランジ２２が設けられる。環状フランジ２２には、ボス２３が複数形成されている（図では１つのみを示す）。このボス２３に設けられるねじ孔（図示せず）に、回路基板１３を挿通した固定ねじ２５をねじ込むことにより、回路基板１３を環状フランジ２２に固定するようにしている。
回路基板１３は、略円板形状に形成される。回路基板１３は、光により信号を発する信号発生手段としての上述の光源１２と、複数の回路部品（図示せず）と、電気的接続部材１４の板部材１５とを保持する。回路基板１３と、光源１２と、上述の回路部品と、板部材１５とは、電気的に互いに接続される。
【００１８】
回路基板１３の外周縁部には、光源１２としての複数、例えば、８つのＬＥＤが周方向にほぼ均等に並んで配置される。各ＬＥＤは、ケース１１の軸方向Ｕから見て、ケース１１の中心へ向いて配置され、各ＬＥＤからの直接光がケース１１の中心を通り、各ＬＥＤとケース１１の反対側で対向するグローブの対向部分を透過し、周囲に放光される。
また、図３を参照して、回路基板１３、光源１２、電気的接続部材１４の板部材１５、回路部品等は、サブ組立体２６を構成して、組立時にひとまとまりにされてケース１１に組み込まれる。また、サブ組立体２６とワイヤ１６とは、ともにケース１１に第１の端部１８側から組み付けられる。
【００１９】
電気的接続部材１４は、図２を参照して、ケース１１の内周の近傍に配置される。ケース１１の軸方向Ｕから見たときに、電気的接続部材１４は、互いの間に周方向Ｖに関して所定の間隔を設けて配置される。また各電気的接続部材１４は、各光源１２からケース１１の径方向Ｒ１，Ｒ２に沿って発せられる光を遮らない位置に配置される。
電気的接続部材１４は、板部材１５とワイヤ１６とを互いに電気的に接続させた状態でケース１１の軸方向Ｕに隣接して配置してなる。電気的接続部材１４は、ケース１１の第１および第２の端部１８，１９間に延びる。ケース１１の第１および第２の端部１８，１９に対応して、電気的接続部材１４の第１および第２の端部２８，２９がそれぞれ配置される。電気的接続部材１４の第１および第２の端部２８，２９に、対応するユニット３ａ，３ｃの対応する端子部３２，３１に接続するための第１および第２の端子部３１，３２がそれぞれ設けられる。
【００２０】
電気的接続部材１４の板部材１５は、ワイヤ１６よりも電気的接続部材１４の第１の端部２８寄りに配置される。図３を参照して、ケース１１の軸方向Ｕに関して、板部材１５は、一端１５ｅと、他端１５ｆと、中間部１５ｇとを有している。板部材１５の一端１５ｅは、上述の第１の端子部３１を有し、板部材１５の他端１５ｆは、ワイヤ１６と接続するための第１の内部端子部７１を有する。また、ワイヤ１６の一端７５は、板部材１５の第１の内部端子部７１に接続するための第２の内部端子部７２を有する。ワイヤ１６の他端７６は、上述の第２の端子部３２を有する。
【００２１】
図４を参照して、板部材１５の中間部１５ｇは、回路基板１３により保持される被保持部としてのＵ字状板部３３を有する。Ｕ字状板部３３は、一端同士を連結部４５により互いに連結される片持ち状の板ばね部材としての一対の弾性板部４３，４４を有する。また、板部材１５の中間部１５ｇは、Ｕ字状板部３３の弾性板部４３から延設される位置決め用の係合部としての一対の突起３８と、Ｕ字状板部３３の弾性板部４３から延設され回路基板１３との接続部としての突起状のリード３９とを有する。
【００２２】
板部材１５の一端１５ｅは、Ｕ字状板部３３の弾性板部４３の端部から屈曲状に延設される延設部３４と、延設部３４からさらに延設される第１の弾性舌片３５とを有している。板部材１５の他端１５ｆは、Ｕ字状板部３３の弾性板部４４から延設される第２の弾性舌片３６を有する。これらの板部材１５の各部３３，３５，３６，３８，３９，３４は、単一部材により一体に形成されている。
第１の弾性舌片３５は、延設部３４の側縁から折り返し状に形成され延設部３４と対向する。第１の弾性舌片３５は、延設部３４の側縁に基端部３５ａを有し、この基端部３５ａからケース１１の概ね周方向Ｖに延びる。第１の弾性舌片３５は、片持ち状の板ばね部材として機能し、この板ばね部材の中間部から自由端寄り部分に第１の端子部３１を有する。第１の端子部３１は、板部材からなる第１の弾性舌片３５の一部により構成される。第１の端子部３１は、図５Ａおよび図５Ｂに示すように、対応するユニット３ａの対応するワイヤ１６の第２の端子部３２の接触部４２ｂに対して弾力的に線接触可能な接触部４２ａを含む。
【００２３】
第１の弾性舌片３５は、板ばね部材の板面がケース１１の概ね径方向Ｒ１，Ｒ２と交差するように配置され、ケース１１の概ね径方向Ｒ１，Ｒ２に沿って弾性撓み変形可能で、この方向Ｒ１，Ｒ２に沿って第１の端子部３１を弾性付勢可能である。
図６Ａおよび図６Ｂを参照して、本ユニット３ｂのケース１１と対応するユニット３ａのケース１１とをその軸方向Ｕに積層して相対回動させたときに、対応するユニット３ａの第２の端子部３２は、ユニット３ｂの第１の弾性舌片３５の基端部３５ａ側から自由端側へ移動しながら（矢印Ｍ２）、第１の弾性舌片３５を押して撓ませる。第１の弾性舌片３５の径方向Ｒ１の付勢力により、互いに対応するユニット３ｂ，３ａの対応する第１および第２の端子部３１，３２を電気的に確実に接続することができる。この状態で、対応する両端子部３１，３２の接触部４２ａ，４２ｂは線接触する。
【００２４】
再び図４を参照して、Ｕ字状板部３３は、一対の弾性板部４３，４４の間に、回路基板１３の外縁部６３を差し込み可能な差し込み部６４を区画する。一対の弾性板部４３，４４が、差し込まれた回路基板１３の外縁部６３を挟持する状態で、回路基板１３によりＵ字状板部３３が確実に保持される。
回路基板１３は、Ｕ字状板部３３の連結部４５を収容し外周に開放される略矩形の切欠部６２と、板部材１５を保持する保持部としての上述の外縁部６３と、板部材１５をケース１１の径方向Ｒ２および周方向Ｖに関して位置決めする一対の位置決め部としての位置決め溝６５と、板部材１５のリード３９と半田付けされて電気的に接続される接続部６６とを含む。
【００２５】
位置決め溝６５は、切欠部６２から径方向内方Ｒ２に延びる。位置決め溝６５に板部材１５の突起３８が嵌め込まれて、板部材１５が回路基板１３に位置決めされ、回路基板１３に対しての周方向Ｖおよび径方向内方Ｒ２についての板部材１５の変位が規制される。また、板部材１５に働く外力を突起３８を介して回路基板１３で受けるので、リード３９と接続部６６との半田付け部分６６ａ（図６参照）に無理な力がかかることを防止できる。
【００２６】
第２の弾性舌片３６は、Ｕ字状板部３３の弾性板部４４の端部から折り返されて弾性板部４４と対向する。第２の弾性舌片３６は、弾性板部４４の端部に基端部３６ａを有し、この基端部３６ａからケース１１の概ね径方向Ｒ１に延びる。第２の弾性舌片３６は、板部材により構成され、片持ち状の板ばね部材として機能し、この板ばね部材の中間部から自由端寄り部分に上述の第１の内部端子部７１を有する。第２の弾性舌片３６は、板ばね部材の板面がケース１１の概ね軸方向Ｕと交差するように配置され、ケース１１の概ね軸方向Ｕに沿って第１の内部端子部７１を、ひいてはワイヤ１６の一端７５を弾性付勢可能である。
【００２７】
図３を参照して、ワイヤ１６は、ケース１１の軸方向Ｕに真直に延びケース１１により保持される主体部７３を備える。この主体部７３の一端７７に設けられる折り曲げ状延設部が第２の内部端子部７２を構成する。主体部７３の他端が第２の端子部３２を構成する。
折り曲げ状のワイヤ１６を用いて、電気的接続部材１４の一部を安価に形成できる。また、ワイヤ１６の折り曲げ状延設部により構成される第２の内部端子部７２は、板部材１５の第２の弾性舌片３６の第１の内部端子部７１と線接触し、電気的接続が確実である。
【００２８】
図２を参照して、ワイヤ１６は、ケース１１の内周に設けられる保持部としての保持孔８０に保持される。保持孔８０はケース１１の軸方向Ｕに真直に延びる貫通孔であり、主体部７３の大部分を収容する。
図５Ａ，図５Ｂを参照して、第２の内部端子部７２が、ケース１１の第１の端部１８側となる保持孔８０の開口から露出状態でケース１１の周方向Ｖに沿って延び出す。第２の端子部３２が、ケース１１の第２の端部１９側となる保持孔８０の開口から露出状態でケース１１の軸方向Ｕに延び出す。
【００２９】
ケース１１の第１の端部１８側となる保持孔８０の開口の周縁部には、第２の内部端子部７２をケース１１の軸方向Ｕに受ける受け部８１が設けられる。受け部８１により受けられたワイヤ１６の第２の内部端子部７２に、ケース１１に組み込まれたサブ組立体２６の第２の弾性舌片３６の第１の内部端子部７１がケース１１の軸方向Ｕに付勢し、その付勢力により第１および第２の内部端子部７１，７２が互いに電気的に確実に接続できる。
【００３０】
第１参考例では、信号表示灯１の組立時に、本ユニット３ｂのケース１１と対応するユニット３ａ，３ｃのケース１１とを積層し相対回転させることにより、従来用いられていた長尺の固定ねじを用いることなく、上述の連結手段によりユニット３ａ，３ｂ，３ｃ同士を簡便に連結できる。その結果、信号表示灯１の組み立てに手間をかけずに済む。また、互いに対応する電気的接続部材１４の板部材１５の第１の端子部３１とワイヤ１６の第２の端子部３２とが、線接触して電気的に確実に接続される。
【００３１】
図３を参照して、電気的接続部材１４を、互いに接続可能な複数の部材、より好ましくは２つの部材に分割して構成した。これにより、本ユニット３ｂの組立の自由度が増し、本ユニット３ｂを組み立て易くできる。また、２ピースの分割であれば、組立の手間の増大を抑制できる。
回路基板１３と板部材１５とを用いて予め組み立てられたサブ組立体２６がケース１１に組み付けられることにより、本ユニット３ｂをより一層組み立て易くできる。サブ組立体２６が信号発生手段を含むことが、より好ましい。
【００３２】
図４を参照して、電気的接続部材１４の板部材１５が、被保持部としてのＵ字状板部３３から延設される第１および第２の弾性舌片３５，３６を含むことにより、板部材１５を実用的に簡素に構成できる。
図５Ａ，図５Ｂを参照して、第２の弾性舌片３６に第１の内部端子部７１を設けることにより、本ユニット３ｂ内で第１および第２の内部端子部７１，７２を弾力により電気的に確実に接続できる。
【００３３】
第２の弾性舌片３６がケース１１の概ね軸方向Ｕに沿って第１の内部端子部７１を弾性付勢可能とされ、サブ組立体２６がケース１１の概ね軸方向Ｕに沿ってケース１１の第１の端部１８に組み付けられる場合には、ケース１１へのサブ組立体２６の組み付けと、第１および第２の内部端子部７１，７２の付勢状態での接続とが同時に達成される。
なお、リード３９と接続部６６とは半田付けされていたが、互いにＵ字状板部３３の弾力により接触する場合には、半田付けを省略することも考えられる。
【００３４】
次に、本発明の第２参考例を説明する。なお、以下の説明では、上述の第１参考例と異なる点を中心に説明し、同様の構成については説明を省略して同じ符号を付しておく。また、後述する他の参考例および実施形態についても同様とする。
第２参考例では、第１参考例の板部材１５（図４参照）に代えて、図７および図８に示す板部材１５ａが用いられる。
板部材１５ａは、主に以下の点で第１参考例の板部材１５（図４参照）と異なる。すなわち、板部材１５ａの延設部３４は、Ｕ字状板部３３の弾性板部４３の側縁から屈曲状に延設され、第１の弾性舌片３５は、延設部３４の側縁から屈曲状にケース１１の概ね周方向Ｖにさらに延設される。板部材１５ａのリード３９は、延設部３４からケース１１の軸方向Ｕに沿って突出していて、回路基板１３の挿通孔からなる接続部６６に嵌め込まれ、挿通孔に設けられる導電部材と半田付けされる。また、Ｕ字状板部３３の連結部４５が、回路基板１３の外周の切欠部６２に嵌まり、板部材１５ａを回路基板１３に周方向Ｖについて位置決めするための係合部として機能する。
【００３５】
第３参考例では、第１参考例の板部材１５（図４参照）に代えて、図９に示す板部材１５ｂが用いられる。また、回路基板１３は、板部材１５ｂを挿通させて保持するための保持部としての挿通孔６８を有する。挿通孔６８は、矩形の主体部としての第１の部分６８ａと、第１の部分６８ａから周方向Ｖに延びる溝状の第２の部分６８ｂとを有する。
板部材１５ｂは、ケース１１の軸方向Ｕに関して、一端１５ｅと、他端１５ｆと、その中間部１５ｇとを有する。板部材１５ｂは、回路基板１３の挿通孔６８の第１の部分６８ａに嵌合されて保持されケース１１の軸方向Ｕに延びる主体板部８４を有する。この主体板部８４の中間部が、回路基板１３に保持される被保持部となる。また、板部材１５ｂの一端１５ｅは、主体板部８４の側縁から屈曲状に延設される第１の弾性舌片３５を有する。また、板部材１５ｂの他端１５ｆは、主体板部８４の端部から折り返し状に延設される第２の弾性舌片３６を有する。また、板部材１５ｂは、被保持部としての主体板部８４の側縁から第２の弾性舌片３６の折り返される側に屈曲状に延設され上記第２の弾性舌片３６に対応する延設片８５とを含む。この延設片８５の中間部が、挿通孔６８の第２の部分６８ｂに嵌まり被保持部として機能する。なお、板部材１５ｂでは、図示していないが、第１および第２参考例で説明したリード３９を利用できる。
【００３６】
板部材１５ｂでは、主体板部８４および延設片８５の段部８４ａ，８５ｂが、回路基板１３の挿通孔６８の周縁部に沿うことにより、板部材１５ｂと回路基板１３とを軸方向Ｕの一方に位置決めする。主体板部８４および延設片８５の中間部が挿通孔６８の周縁部と当接して、ケース１１の周方向Ｖおよび径方向Ｒ１，Ｒ２に関して、回路基板１３と板部材１５ｂとを位置決めする。
第３参考例でも、第１の弾性舌片３５が、第１の端子部３１を含み、第２の弾性舌片３６が、第１の内部端子部７１を含む。
【００３７】
第１の弾性舌片３５については、これが主体板部８４の側縁に設けられる基端部３５ａから屈曲状に延設されることと、第１の端子部３１に凹条８６が設けられることとの点で、第３参考例と第１参考例とは異なる。
凹条８６は、対応する第２の端子部３２と複数箇所で線接触可能とされる。これにより、第１の端子部３１と第２の端子部３２とは、電気的により一層確実に接続できる。例えば、図１１に示すように、凹条８６は、ワイヤ１６とこれの周方向に離れた２箇所で線接触する。
【００３８】
再び図９を参照して、第２の弾性舌片３６については、以下の点で、第３参考例と第１参考例とは異なる。すなわち、第２の弾性舌片３６は、主体板部８４の端部に基端部３６ａを有し、この基端部３６ａからケース１１の概ね軸方向Ｕに沿って折り返し状に延びる点である。また、第２の弾性舌片３６の板面がケース１１の概ね周方向Ｖと交差するように配置され、ケース１１の概ね周方向Ｖに沿って第１の内部端子部７１を弾性付勢可能である点である。図１０Ａ，図１０Ｂに示すように、第１および第２の内部端子部７１，７２は互いに付勢状態で線接触する。ワイヤ１６の第２の内部端子部７２は、ケース１１の径方向Ｒ２に沿って延びて配置される。これにより、第１および第２の内部端子部７１，７２の接触長さを確保しつつ、光源１２からの光を遮り難くできる。
【００３９】
延設片８５は、ケース１１の軸方向Ｕに沿って延びる縁部８５ｂを有する。延設片８５の縁部８５ｂと第２の弾性舌片３６との間に、当該ユニット３ｂのワイヤ１６の第２の内部端子部７２を挟持可能な挟持部８７が区画される。これにより、ワイヤ１６を付勢状態で確実に安定に位置決めして保持でき、さらに延設片８５と第２の内部端子部７２とを電気的に接続できる。その結果、板部材１５ｂとワイヤ１６とを電気的に確実に接続できる。また、板部材１５ｂがワイヤ１６をケース１１の周方向Ｖに挟持することにより、板部材１５ｂおよび回路基板１３にワイヤ１６からのケース１１の軸方向Ｕの力がかかることを抑制できる。
【００４０】
本実施形態では、第１参考例の電気的接続部材１４（図２参照）に代えて、図１２および図１３に示す電気的接続部材１４ａが用いられる。また、本実施形態のケース１１については、ケース１１の第１の端部１８に内向きの環状フランジ９０が設けられることと、ケース１１の第２の端部１９側から回路基板１３を挿通する固定ねじ２５により係止するねじ孔付きの内周に設けられるボス２３ａが設けられることとの点で、第１参考例のケース１１と異なる。
【００４１】
電気的接続部材１４ａは、上述の第１および第２の端子部３１，３２（図２参照）に代えて、第１および第２の端子部３１ａ，３２ａを有する。第１および第２の端子部３１ａ，３２ａは、上述の接触部４２ａ，４２ｂ（図１０Ａ参照）をそれぞれ有する。電気的接続部材１４ａは、両端子部３１ａ，３２ａを一体に形成する導電性の単一の板部材からなる。
この板部材は、ケース１１の軸方向Ｕに延びてケース１１により保持される主体部９４を有する。主体部９４の一端９５から概ね直交状に延設される板部材からなる延設部が、第１の端子部３１ａを構成する。ユニット３ｂの第１の端子部３１ａは、環状フランジ９０の外側へ向く表面９１に沿う。また、主体部９４の他端９６に延設され山形をなす板部材からなる弾性舌片が、第２の端子部３２ａを構成する。電気的接続部材１４ａは、回路基板１３の挿通孔からなる接続部６６と接続するための突起状のリード３９と、主体部９４の他端９６に延設されてケース１１の保持孔８０に係合可能な係合部としての突起９９とを含む。主体部９４の板面はケース１１の径方向Ｒ１，Ｒ２に交差して配置される。
【００４２】
図１４Ａ，図１４Ｂを参照して、第１の端子部３１ａは、環状フランジ９０の凹部９２に配置される。ケース１１の周方向Ｖについて凹部９２と隣接する環状フランジ９０の表面９１と、第１の端子部３１ａとは、概ね単一面をなす。
第２の端子部３２ａを構成する弾性舌片は、主体部９４に片持ち状に支持される板ばね部材として機能する。ユニット３ａの第２の端子部３２ａは、対応するユニット３ｂの対応する第１の端子部３１ａをケース１１の軸方向Ｕに弾性付勢可能である。
【００４３】
互いに対応するユニット３ａ，３ｂが積層された状態で、第２の端子部３２ａは所定量撓む。これにより生じる所定の弾性力により、環状フランジ９０上に受けられた第１の端子部３１ａに、第２の端子部３２ａが付勢され、これの山形の頂部の接触部４２ｂと第１の端子部３１ａの接触部４２ａとが線接触する。
第２、第３の各参考例および実施形態では、ケース１１同士を相対回動させて、簡便にユニット同士を連結でき、対応するユニット３ａ，３ｂ，３ｃの対応する第１および第２の端子部３１，３１ａ，３２，３２ａを線接触させて、対応するユニット３ａ，３ｂ，３ｃを互いに電気的に確実に接続することができる。
【００４４】
また、第２および第３参考例では、電気的接続部材１４を複数の部材に分割し組立の自由度を高める効果、サブ組立体２６による組み立て易くなる効果を得られる。この他、各参考例および実施形態では、第１参考例で説明した効果に対応する構成を有する場合に、その効果を得ることができる。
なお、図１５Ａ，図１５Ｂを参照して、第１参考例の第１の弾性舌片３５に、これの延設される方向に沿って延びて第１の端子部３１の接触部の背面側に突出する補強用の突条からなる少なくとも一つ、例えば、３本のリブ１００を設けて、第１の弾性舌片３５を補強してもよい。リブ１００を、第１参考例の他の弾性舌片や、第２、第３の各参考例および実施形態の弾性舌片に適用してもよい。
【００４５】
図１１に示す凹条８６を、第１および第２参考例の第１の端子部３１に、および実施形態の第１の端子部３１ａに適用してもよい。
また、第１〜第３の各参考例および実施形態において、対応する接触部４２ａ，４２ｂが互いに面接触するようにしてもよい。
図１６に示すように、信号発生手段としては、光源１２に加えて、この光源１２からの光を周囲に反射するための反射手段としての反射面１１３と、この反射面１１３を担持する担持体１１４とが設けられてもよい。また、図１に示すブザーユニット５のように、信号発生手段として、光源１２に代えて、音声により信号を発する音声発生手段としてのブザー１０１と、このブザー１０１を駆動する電気回路（図示せず）とを用いてもよい。この場合のケース１１には、ブザー１０１からの音を外部に発するための開口１０２が設けられる。
【００４６】
また、図１に示すユニット６，７にも、上述の各参考例および実施形態のケース１１と、電気的接続部材１４，１４ａとを用いている。例えば、外部出力ユニット６は、外部出力用のインタフェース１１７を有し、このインタフェース１１７により、信号表示灯１が装着される装置本体９からの信号に応じた出力信号を外部装置、例えば、上記装置本体９を含む製造ラインの統括制御部へ出力することができる。また、本外部出力ユニット６は、出力信号を取り出すための、外部に露出可能にケース１１に固定されるコネクタ１１８を有する。
【００４７】
また、信号表示灯１に含まれる各種ユニットの数、種類は上述の構成に限定されず、要は、少なくとも一つの表示ユニット３ｂがあればよい。その他、本発明の特許請求の範囲で種々の変更を施すことが可能である。
【図面の簡単な説明】
【００４８】
【図１】本発明の第１参考例の信号表示灯の組み立ての説明図であり、図１Ａは信号表示灯の分解正面図、図１Ｂは組上がり状態の信号表示灯の正面図である。
【図２】図１に示す表示ユニットの一部断面正面図である。
【図３】図１に示す表示ユニットの分解図であり、一部断面の正面を示す。
【図４】図３に示すサブ組立体の要部の分解斜視図である。
【図５】図１に示す表示ユニットの要部の連結状態を示す断面図であり、図５Ａは、図５Ｂに示す５Ａ断面を示す断面図であり、図５Ｂは、図５Ａに示す５Ｂ断面を示す断面図である。
【図６】互いに対応するユニットの第１および第２の端子部の接続を示す一部断面平面図であり、図６Ａにユニット同士が連結前の状態を示し、図６Ｂに連結完了状態を示し、図５Ｂに示すＶＩ断面を示す。
【図７】本発明の第２参考例の表示ユニットのサブ組立体の要部の分解斜視図である。
【図８】図７に示す表示ユニットの連結状態を示す断面図であり、図５Ｂに示す５Ａ断面に相当する断面を示す。
【図９】本発明の第３参考例の表示ユニットのサブ組立体の要部の分解斜視図である。
【図１０】図９に示す表示ユニットの連結状態を示す断面図であり、図１０Ａは、図１０Ｂに示す１０Ａ断面を示す断面図であり、図１０Ｂは、図１０Ａに示す１０Ｂ断面を示す断面図である。
【図１１】図１０Ｂに示す第１の端子部と、対応するユニットの第２の端子部との接続状態を示す一部断面平面図であり、図１０Ｂに示すＸＩ断面を示す。
【図１２】本発明の実施形態の表示ユニットの一部断面正面図である。
【図１３】図１２に示す表示ユニットの分解図であり、一部断面の正面を示す。
【図１４】図１２に示す表示ユニットの連結状態を示す断面図であり、図１４Ａは、図１４Ｂに示す１４Ａ断面を示す断面図であり、図１４Ｂは、図１４Ａに示す１４Ｂ断面を示す断面図である。
【図１５】第１参考例の第１の端子部の変形例を示し、図１５Ａに斜視図を、図１５Ｂに図１５Ａの１５Ｂ−１５Ｂ断面の断面図を示す。
【図１６】図１に示す表示ユニットの信号表示手段の変形例を示す模式図である。
【符号の説明】
【００４９】
１  信号表示灯
３ａ，３ｂ，３ｃ，５，６，７  ユニット
１１  ケース
１４ａ  電気的接続部材
１８  ケースの第１の端部
１９  ケースの第２の端部
２０  係合突起（ケースの第１の端部に設けられる連結手段）
２１  係合凹部（ケースの第２の端部に設けられる連結手段）
２８  電気的接続部材の第１の端部
２９  電気的接続部材の第２の端部
３１ａ  電気的接続部材の第１の端子部（延設部）
３２ａ  電気的接続部材の第２の端子部（弾性舌片）
４２ａ，４２ｂ  接触部
９０  環状フランジ
９１  環状フランジの表面
９４  板部材の主体部
９５  板部材の主体部の一端
９６  板部材の主体部の他端
Ｕ  ケースの軸方向
【図１】
2008181896.tif 000003
【図２】
2008181896.tif 000004
【図３】
2008181896.tif 000005
【図４】
2008181896.tif 000006
【図５】
2008181896.tif 000007
【図６】
2008181896.tif 000008
【図７】
2008181896.tif 000009
【図８】
2008181896.tif 000010
【図９】
2008181896.tif 000011
【図１０】
2008181896.tif 000012
【図１１】
2008181896.tif 000013
【図１２】
2008181896.tif 000014
【図１３】
2008181896.tif 000015
【図１４】
2008181896.tif 000016
【図１５】
2008181896.tif 000017
【図１６】
2008181896.tif 000018